(57)【要約】【課題】蛍光灯からＬＥＤ照明に変更したことがわかりやすく、また、直管型以外の形状のものにも取付可能なＬＥＤ照明を提供すること。【解決手段】長手方向Ｃに伸びて２灯用ベースライト逆富士型２に対向する断面Ｍ字状の筐体３と、表面にチップ型ＬＥＤ（ＬＥＤ素子）４が配されて筐体３の開口側に接続される面状部４Ａと、面状部４Ａを筐体３と挟み込む断面Ｕ字状の半透明樹脂製のカバー部５と、チップ型ＬＥＤ４と接続された一対のＧ１３口金ピン（一対の口金ピン）が配された一対のコンタクトホルダと、一対のコンタクトホルダ間の距離を調節する可変機構部を備えている。【選択図】図２
2011171077.tif 000002
【特許請求の範囲】
【請求項１】
長手方向に伸びて２灯用ベースライト逆富士型に対向する断面Ｍ字状の筐体と、
表面にＬＥＤ素子が配されて前記筐体の開口側に接続される面状部と、
該面状部を前記筐体と挟み込む断面Ｕ字状の半透明のカバー部と、
前記ＬＥＤ素子と接続された一対の口金ピンが配された一対のコンタクトホルダと、
を備えていることを特徴とするＬＥＤ照明。
【請求項２】
前記一対のコンタクトホルダが、前記筐体に対して前記長手方向を回転中心として回転可能に配され、
前記一対のコンタクトホルダ間の距離を調節する可変機構部を備えていることを特徴とする請求項１に記載のＬＥＤ照明。
【請求項３】
前記可変機構部が、前記コンタクトホルダに接続されて、歯面が対向した状態で相手方の前記コンタクトホルダにむかって伸びる一対のラックギヤと、
該一対のラックギヤ間に配されて、前記ラックギヤと噛合された歯車と、
該歯車と接続された回転操作部と、
を備えていることを特徴とする請求項１又は２に記載のＬＥＤ照明。
【発明の詳細な説明】
【技術分野】
【０００１】
本発明は、ＬＥＤ照明に関する。
【背景技術】
【０００２】
ＬＥＤ素子による直管型のＬＥＤ照明は、図９に示すように、オフィス等に設置されている２灯用ベースライト逆富士型（例えば、特許文献１，２参照。）のＬＥＤ照明器具に１本ずつ取り付けられている。この２灯用ベースライト逆富士型の口金ソケットは、非特許文献１に記載の規格寸法（以下、Ｇ１３口金ソケットと称する。）にて製作されている。
【先行技術文献】
【特許文献】
【０００３】
【特許文献１】特開２００４−３０３４５１号公報
【特許文献２】特開平０６−１６８６０９号公報
【非特許文献】
【０００４】
【非特許文献１】ＪＩＳ  Ｃ  ７７０９−１  電球類の口金・受金及びそれらのゲージ並びに互換性・安全性  第１部  口金
【発明の概要】
【発明が解決しようとする課題】
【０００５】
しかしながら、上記従来の直管型のＬＥＤ照明は、単なる蛍光灯からの置き換えであり、見た目の変化が乏しく、ＬＥＤ化したことによる環境への配慮が十分アピールできない。また、２灯用ベースライト逆富士型の取付寸法（一対のＧ１３口金ソケットの中心間距離や、Ｇ１３口金ソケットの２つ穴の並び角等）が各社バラバラなので、直管型以外の形状のＬＥＤ照明を取付ようとしても取り付かない場合がある。
【０００６】
本発明は上記事情に鑑みて成されたものであり、蛍光灯からＬＥＤ照明に変更したことがわかりやすく、また、直管型以外の形状のものにも取付可能なＬＥＤ照明を提供することを目的とする。
【課題を解決するための手段】
【０００７】
本発明は、上記課題を解決するため、以下の手段を採用する。
本発明に係るＬＥＤ照明は、長手方向に伸びて２灯用ベースライト逆富士型に対向する断面Ｍ字状の筐体と、表面にＬＥＤ素子が配されて前記筐体の開口側に接続される面状部と、該面状部を前記筐体と挟み込む断面Ｕ字状の半透明のカバー部と、前記ＬＥＤ素子と接続された一対の口金ピンが配された一対のコンタクトホルダと、を備えていることを特徴とする。
【０００８】
また、本発明に係るＬＥＤ照明は、前記ＬＥＤ照明であって、前記一対のコンタクトホルダが、前記筐体に対して前記長手方向を回転中心として回転可能に配され、前記一対のコンタクトホルダ間の距離を調節する可変機構部を備えていることを特徴とする。
【０００９】
また、本発明に係るＬＥＤ照明は、前記ＬＥＤ照明であって、前記可変機構部が、前記コンタクトホルダに接続されて、歯面が対向した状態で相手方の前記コンタクトホルダにむかって伸びる一対のラックギヤと、該一対のラックギヤ間に配されて、前記ラックギヤと噛合された歯車と、該歯車と接続された回転操作部と、を備えていることを特徴とする。
【発明の効果】
【００１０】
本発明によれば、蛍光灯からＬＥＤ照明に変更したことがわかりやすく、また、直管型以外の形状のものにも取り付けることができる。
【図面の簡単な説明】
【００１１】
【図１】本発明の一実施形態に係るＬＥＤ照明を示す斜視図である。
【図２】（ａ）図１のＩＩ−ＩＩ断面図、（ｂ）（ａ）のＡ矢視図である。
【図３】本発明の一実施形態に係るＬＥＤ照明が装着される２灯用ベースライト逆富士型における位置関係を示す説明図である。
【図４】本発明の一実施形態に係るＬＥＤ照明のコンタクトホルダを示す斜視図である。
【図５】本発明の一実施形態に係るＬＥＤ照明の可変機構の構成（調整前の状態）を示す斜視図である。
【図６】本発明の一実施形態に係るＬＥＤ照明の可変機構による調整前の状態を示す斜視図である。
【図７】本発明の一実施形態に係るＬＥＤ照明の可変機構による調整後の状態を示す斜視図である。
【図８】本発明の一実施形態に係るＬＥＤ照明の可変機構による調整後の状態を示す斜視図である。
【図９】従来の照明を示す斜視図である。
【発明を実施するための形態】
【００１２】
本発明に係る一実施形態について、図１から図８を参照して説明する。
本実施形態に係るＬＥＤ照明１は、長手方向Ｃに伸びて２灯用ベースライト逆富士型２に対向する断面Ｍ字状の筐体３と、表面にチップ型ＬＥＤ（ＬＥＤ素子）４が配されて筐体３の開口側に接続される面状部４Ａと、面状部４Ａを筐体３と挟み込む断面Ｕ字状の半透明樹脂製のカバー部５と、チップ型ＬＥＤ４と接続された一対のＧ１３口金ピン（一対の口金ピン）６が配された一対のコンタクトホルダ７と、一対のコンタクトホルダ７間の距離を調節する可変機構部９を備えている。
【００１３】
コンタクトホルダ７は、Ｇ１３口金ピン６が２本挿入される円筒状で樹脂製とされ、レバーノブ８が一体成形にて設けられて、筐体３に対して長手方向Ｃを回転中心として回転可能に配されている。
【００１４】
可変機構部９は、コンタクトホルダ７に接続されて、歯面が対向した状態で相手方のコンタクトホルダ７にむかって伸びる一対のラックギヤ１０と、一対のラックギヤ１０間に配されて、ラックギヤ１０と噛合された歯車１２と、歯車１２と接続された回転操作部１１と、を備えている。
【００１５】
一対のラックギヤ１０は、Ｌ型で樹脂製のアジャスターの片面がギヤ加工されて構成されている。
【００１６】
ＬＥＤ照明１を２灯用ベースライト逆富士型２に取り付ける際には、レバーノブ８を回してコンタクトホルダ７を回転させ、図３に示す角度ｂ（天井面Ｃｅと一対のＧ１３口金ピン６が挿入されるＧ１３口金ソケットＳの２つ穴の並び角度）の調整をする。そして、回転操作部１１回してこれと連結された歯車１２を回す。この際、歯車１２と噛合された一対のラックギヤ１０が互いに反対方向に直線移動して、一対のコンタクトホルダ７間の中心間距離ａを調整する。
【００１７】
このＬＥＤ照明１によれば、面状部４Ａにて面発光させることができ、蛍光灯からＬＥＤ照明に変更したことを容易に把握することができる。また、一対のコンタクトホルダ７間の中心間距離ａ、角度ｂに対応するＧ１３口金ソケットの取付寸法がバラバラな従来の照明器具（２灯用ベースライト逆富士型２）に対して、照明取付時の調整を僅かなものにすることができ、照度ムラのない面発光を提供することができる。
【００１８】
なお、本発明の技術範囲は上記実施の形態に限定されるものではなく、本発明の趣旨を逸脱しない範囲において種々の変更を加えることが可能である。
【符号の説明】
【００１９】
１  ＬＥＤ照明
２  ２灯用ベースライト逆富士型
３  筐体
４  チップ型ＬＥＤ（ＬＥＤ素子）
４Ａ  面状部
５  カバー部
６  一対のＧ１３口金ピン（一対の口金ピン）
７  一対のコンタクトホルダ
９  可変機構部
１０  一対のラックギヤ
１１  回転操作部
１２  歯車
【図１】
2011171077.tif 000003
【図２】
2011171077.tif 000004
【図３】
2011171077.tif 000005
【図４】
2011171077.tif 000006
【図５】
2011171077.tif 000007
【図６】
2011171077.tif 000008
【図７】
2011171077.tif 000009
【図８】
2011171077.tif 000010
【図９】
2011171077.tif 000011